【事件の表示】
　特願２００４−５５６２８９「ウレタン基を有する（メト）アクリル酸エステルの酵素的製造方法」拒絶査定不服審判事件〔平成１６年６月１７日国際公開、ＷＯ２００４／０５０８８８、平成１８年３月１６日国内公表、特表２００６−５０８６５７〕について、次のとおり審決する。
【結　論】
　本件審判の請求は、成り立たない。
【理　由】
第１　手続の経緯
　本願は、平成１５年１２月４日（パリ条約による優先権主張外国庁受理　平成１４年１２月５日　ドイツ）を国際出願日とする出願であって、平成２１年１１月２６日付けで拒絶査定がなされ、これに対し、平成２２年４月２日に拒絶査定不服審判の請求がなされるとともに、同日付けで手続補正がなされたものである。
　
第２　平成２２年４月２日付けの手続補正についての補正の却下の決定
［補正の却下の決定の結論］
　　平成２２年４月２日付けの手続補正を却下する。
［理由］
１　補正の内容
　本件補正により、特許請求の範囲の請求項１は、
「【請求項１】
　ｃ）ウレタン基含有アルコール（Ｃ）
　　【化１】
　
　
［式中、Ｒ３、Ｒ４は互いに独立して水素
または
ルで
Ｙは、Ｃ２〜Ｃ２０−アルキレン
である
を（メト）アクリル酸または（メト）アクリル酸と飽和アルコールとのエステル（Ｄ）と反応させ、かつ、
ｄ）場合により、ｃ）からの反応混合物を後処理することによって、ウレタン基含有（メト）アクリル酸エステル（Ｆ）を製造する方法において、
反応ｃ）を酵素リパーゼ（Ｅ）の存在下で実施することを特徴とする、ウレタン基含有（メト）アクリル酸エステル（Ｆ）を製造する方法。」（下線は、補正箇所を示す。）
と補正され、以下の請求項２及び３が追加された。
「【請求項２】
　Ｒ３およびＲ４が水素である、請求項１記載の方法。
【請求項３】
　（Ｄ）が、（メト）アクリル酸と飽和アルコールとのエステルである、請求項１または２に記載の方法。」
　
２　補正の目的
　本件補正は、(1)補正前の請求項１のＲ３、Ｒ４及びＹについての選択肢の中から、Ｒ３、Ｒ４については「水素またはＣ１〜Ｃ１８−アルキル」に限定し、Ｙについては「Ｃ２〜Ｃ２０−アルキレン」に限定して補正後の請求項１とし、また、(2)新たに、補正後の請求項１を引用する請求項２及び補正後の請求項１または２を引用する請求項３を追加する補正を含むものである。
　上記(1)については、特許請求の範囲の減縮を目的とする補正であるが、上記(2)については、実質的に請求項を増加する補正であり、特許請求の範囲の減縮を目的とする補正とすることはできない。
　したがって、本件補正は、平成１８年法律第５５号改正附則第３条第１項によりなお従前の例によるとされる同法による改正前の特許法第１７条の２第４項第２号の特許請求の範囲の減縮を目的とするものに該当しない。
　
３　独立特許要件について、
　上記のとおり特許請求の範囲の減縮を目的とするものに該当しないが、本件補正は請求項１についての補正に限れば、特許請求の範囲の減縮を目的とするものであるため、一応、本件補正後の請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
４　引用刊行物とその記載事項
　原査定の拒絶の理由に引用された、本願優先日前に頒布された刊行物１（原査定の引用文献２）、刊行物２（同引用文献３）、刊行物３（同引用文献５）及び刊行物４（同引用文献６）には以下の事項がそれぞれ記載されている。下線は当審で付加した。
　
（１）刊行物１：Ｍａｋｒｏｍｏｌ．Ｃｈｅｍ．，Ｖｏｌ．１７７，１９７６，ｐ．２６８１−２６９５　の記載事項の当審抄訳
　「Ｎ，Ｎ−ジ置換カルバモイルオキシアルキルアクリル酸エステル及びＮ，Ｎ−ジ置換カルバモイルオキシメタクリル酸エステルの単及び共重合」と題する論文であって
（１ａ）２６８１頁　要約欄
「２−ヒドロキシアルキルカルバメート(２)のメタクリル酸エステル及びアクリル酸エステル（３ａ−ｉ）が合成され、ラジカル単及び共重合された。単重合は、通常の反応速度の法則に従うことが分かった。重合体の物理化学的特徴は、粘度、ＧＰＣ、Ｘ線、ＤＴＡ、及びＮＭＲの測定により明らかになる、嵩高い及び極性のある側鎖により決まる。一連のコモノマーを用いたラジカル共重合におけるメタクリル酸エステルの挙動は、メタクリル酸メチルのものと類似する。しかしながら、共重合体へ新たなモノマーを組み込む傾向は、メタクリル酸メチルよりも劣る。この事実は、またも、異なる立体効果によるものである。」
　
（１ｂ）２６８２頁６〜９行
「この実験の主題は、Ｎ，Ｎ−ジ置換カルバモイルオキシアルキルアクリル酸エステル及びＮ，Ｎ−ジ置換カルバモイルオキシメタクリル酸エステルの単及び共重合、この単及び共重合挙動、及び物理的、化学的特徴の記述である。」
　
（１ｃ）２６８２頁１０〜最終行
「モノマーの記述は、反応式から歴然とする。
　
」
　
（１ｄ）２６８３頁１〜３６行
「実験部分
Ｎ，Ｎ−ジ置換カルバモイルオキシアルキルアクリル酸エステル及びＮ，Ｎ−ジ置換カルバモイルオキシメタクリル酸エステル(３ａ−ｉ)の記述
　ａ）Ｎ，Ｎ−ジ置換２−ヒドロキシエチルまたは２−ヒドロキシ−１−メチルエチルカルバメート(２)：
・・・
　ｂ）３ａ−ｉの記述
　方法Ａ：窒素流通下、約1.1〜1.2モルの蒸留したての
メタクリル酸塩化物またはアクリル酸塩化物
塩基性捕捉剤
２−ヒドロキシアルキルカルバメート(２)に滴下された
重合を防止するために、1〜2gのフェノチアジン溶液を追加
濾過され
分別蒸留される
しかしながら、副産物として、例えば、重合を妨げるメタクリル酸無水物のような、二官能性の不純物もできる
　方法Ｂ：この方法では、前記したようにアセトン0.5リットルと3 gのフェノチアジンの混合溶液の中に溶けている、1モルの 
2−ヒドロキシアルキルカルバメート(２)
窒素環流の下
アクリル酸塩化物またはメタクリル酸塩化物
滴下されて添加される
蒸留
分別蒸留
この方法でＮ，Ｎ−ジメチル−(３−クロロ−２−メチル) プロピオンアミド(４)、２−メタクリルオキシ−エチル−(３−クロロ−２−メチル)プロピオネート(５)、２−(Ｎ，Ｎ−ジメチルカルバモイルオキシ) エチル−(３−クロロ−２−メチル)プロピオネート(６)、およびエチレンジメタクリレート(７)が副産物として得られ
　
（２）刊行物２：特開２０００−１３９４８８号公報
（２ａ）「【請求項１】エステル化またはエステル交換に触媒作用する
酵素の存在で
【化１】
  
［式中、
Ｒ
1
および／またはＲ
7
は
［Ｒ
4
］
ｗ
−［Ｒ
5
］
ｘ
−［Ｒ
6
］
ｙ
−Ｒ
8
を表し
Ｒ４は式Ｏ、ＮＨ、ＮＲ2、Ｓの二価の基または式（ＯＳｉ（ＣＨ3）2）ｕの基を表し、ｕは１〜２００であり、
Ｒ
5
は１〜２４個の炭素原子を有する同じかまたは異なるアルキル基
Ｒ
6
はＯ
ｅ
−Ｃ
ｈ
Ｈ
2ｈ
−Ｃ
ｉ
Ｈ
2ｉ−ｊ
Ｒ
9
ｊ
Ｒ
8
は
Ｒ
8
はＯＨ基
ヒドロキシ官能性
変性シロキサン誘導体を用いてアクリル酸および／またはメタクリル酸またはアクリル酸エステルおよび／またはメタクリル酸エステルをエステル化またはエステル交換する方法
【請求項２】 
酵素とし
リパーゼ
　
（２ｂ）「【０００１】
【発明の属する技術分野】本発明の対象は、エステル化またはエステル交換に触媒作用する酵素の存在でヒドロキシ官能性および／またはポリオキシアルキレン変性シロキサン誘導体を用いてアクリル酸および／またはメタクリル酸またはアクリル酸エステルおよび／またはメタクリル酸エステルをエステル化またはエステル交換する方法およびこれらの酸またはエステルの使用である。」
　
（２ｃ）従来技術とその問題点について
「【０００７】この場合に通常の方法は
ヒドロキシ官能性前駆物質から出発し、相当するアクリル酸および／またはメタクリル酸またはアクリル酸エステルおよび／またはメタクリル酸エステルから出発してエステル化法またはエステル交換法によりアクリロイル基および／またはメタクリロイル基を導入する
触媒の存在は不可欠である
エステル化反応に触媒作用する酸も頻繁に用いられる
【０００８】これらの方法は、通常の場合は８０℃より高い温度、しばしば１００℃より
高い温度で進行し、この温度でアクリレートおよび／またはメタクリレートの好ましくない重合を確実に抑えるために、ラジカル捕捉剤（例えばメチルヒドロキノン）による反応混合物の付加的な安定化が必要である
高い反応温度に起因してこうして製造されるアクリロイルおよび／またはメタクリロイル官能性化合物はしばしば強く着色される（黄色から褐色、黒にまで
　
（２ｄ）「【００１３】
【発明が解決しようとする課題】本発明の課題は、アクリル酸および／またはメタクリル酸またはアクリル酸エステルおよび／またはメタクリル酸エステルをヒドロキシ官能性シロキサンおよび／またはポリオキシアルキレン変性シロキサンを用いて
エステル化またはエステル交換する簡略化された方法を提供する
反応生成物の明らかに明るい色を可能
副生成物の形成を回避
生成物から酵素触媒の複雑でない除去を可能
クリレートおよび／またはメタクリレート誘導体のラジカル重合を回避する
　
（２ｅ）「【００１８】本発明により、酵素触媒作用されるアクリル酸および／またはメタクリル酸またはアクリル酸エステルおよび／またはメタクリル酸エステルのエステル化またはエステル交換により反応することができるシロキサン誘導体の例は以下のとおりである。
・・・
【００２５】
【化１０】
・・・
　」
　
（２ｆ）「【００２６】
低い温度
特に４０〜７０℃および穏和な条件
生成物の明るい色、他の場合には例えば化学触媒から生じることがある副生成物の形成の回避、生成物からの酵素触媒の複雑でない除去およびアクリロイルおよび／またはメタクリロイル化合物の好ましくないおよび制御されないラジカル重合の回避にもとづき有利である
　
（２ｇ）「【００２９】触媒として有利に使用される酵素はヒドロラーゼ、特にエステラーゼ、
リパーゼ
　
（２ｈ）「【００３８】
【実施例】例
・・・ポリオキシアルキレン変性シロキサン４０８ｇを、ブチルアクリレート１２３ｇおよび
酵素Ｎｏｖｏｚｙｍ（Ｒ）４３５
　
（３）刊行物３：Ｂｉｏｔｅｃｈｎｏｌｏｇｙ　Ｌｅｔｔｅｒｓ，Ｖｏｌ．１２，Ｎｏ．１１，１９９０，ｐ．８２５−８３０　の記載事項の当審抄訳
　「有機溶媒中でのエステル交換を触媒するリパーゼを用たアクリル酸モノエステル中間体の調製」と題する論文であって
（３ａ）８２５頁下から１９〜１４行
「より高い水準の（メタ）アクリル酸エステル合成のための
従来の化学的経路は
直接的な酸触媒エステル化反応、または、エステル交換
未反応のアルコール、部分及び完全置換エステル生産物の複合混合物を生産するため、効率的でない
　
（３ｂ）８２５頁下から３行〜８２６頁１０行
「リパーゼは、様々なエステル交換反応を、ほぼ無水有機溶媒中で触媒することが最近示され（Klibanov,1986）、豚膵臓のリパーゼを用いて、ジオールの立体選択的モノアクリル化反応も含まれている（Cesti et.al.,1985）。より最近、酵素的エステル交換反応は、30%以下の水の存在下で安定化され固定化した豚肝臓エステラーゼを用いたヒドロキシアルキル（メタ）アクリル酸エステルの合成に採用されている（Tor et.al.,1990）。
　この論文では、我々は、一連のジオールからヒドロキシルアルキルアクリル酸エステル（モノエステル）を合成するにあたり、市販のクロモバクテリウム　ビスコサム由来のリパーゼを用い、ほぼ無水の有機溶媒中で酵素的エステル交換反応による、Cestii et.al.(1985）の一般的手順を採用した。」
　
（３ｃ）８２６頁１２〜１７行
「酵素
　クロモバクテリウム　ビスコサム（L-050、53,000オリーブオイル単位／ｇ固形分）由来の天然の
市販のリパーゼ（グリセロールエステルヒドロラーゼ、Ｅ．Ｃ．３．１．１．３
　
（３ｄ）８２６頁３４〜３８行
「反応条件
　エステル交換は、10ml
エチルアクリレート
ジオール
酵素を反応混合物に添加
　
（３ｅ）８２７頁９〜１２行
「望まれる反応は、位置選択的、
酵素的エステル交換反応
　
　　　　　　　　　　　　　リパーゼ
ジオール＋エチルアクリレート　→　アクリルモノエステル＋エタノール」
　
（３ｆ）８２７頁２６〜２７行、Ｔａｂｌｅ　Ｉ．
「反応は、表１に示すように、直鎖状、分岐及びその他のジオールで行われた。
　
」
　
（４）刊行物４：Ｂｉｏｔｅｃｈｎｏｌｏｇｙ　Ｔｅｃｈｎｉｑｕｅｓ，Ｖｏｌ．１０，Ｎｏ．４，１９９６，ｐ．２８３−２８６　の記載事項の当審抄訳
　「リパーゼを触媒とした効果的なアクリル及びメタクリル酸エステルの調製」と題する論文であって
（４ａ）２８４頁５〜３０行
「材料と方法
材料
生物変換
メチルアクリレート
１−ウンデカノール
Novozym435
ｂ）102mgの
Novozym435
メチルアクリレート
１−ウンデカノール
同じ生物触媒サンプルで18サイクル繰り返された
ｃ）100mgの
Novozym435
アクリルまたはメタクリルメチルエステル
アルコール
ｄ）35.8ml（397.6mmol）の
メタクリル酸
１−ウンデカノール
Novozym435が添加された
化学的エステル交換
H
2
SO
4
メチルアクリレート
１−ウンデカノール
濾過により全ての固形物（ポリマー）が除かれ
化学的及び酵素的エステル交換で調製された生成物の試料が、GC/MSにより同定された。」
　
（４ｂ）２８５頁右欄下から６〜１行
「もし、ウンデシルアクリレートの、Novozym435により触媒された予備合成と硫酸触媒による予備合成を比較すると、
酵素触媒は、優位性がある方法である。化学触媒反応の場合、重合が起こるために、収率が酵素触媒よりも劣る
　
（４ｃ）２８５頁反応式
「
」
　
（４ｄ）２８６頁表２
「
」　
５　対比・判断
　上記刊行物１の記載事項（特に上記(1c)(1d)）から、刊行物１には、
「下記の反応式で示される、Ｎ，Ｎ−ジ置換２−ヒドロキシエチルカルバメート及びＮ，Ｎ−ジ置換２−ヒドロキシ−１−メチルエチルカルバメート(２) と、アクリル酸塩化物及びメタクリル酸塩化物(１)を、塩基存在下または窒素環流下で反応させ、蒸留等の後処理をして、Ｎ，Ｎ−ジ置換カルバモイルオキシアルキルアクリル酸エステル及びＮ，Ｎ−ジ置換カルバモイルオキシメタクリル酸エステル(３ａ−ｉ)を製造する方法
　
　Ｒ1ないしＲ4は、上記(1c)の表に示すとおりである。」の発明（以下、「刊行物１発明」という。）が記載されていると認められる。
　
　そこで、本願補正発明と刊行物１発明とを比較する。
（ア）刊行物１発明の「Ｎ，Ｎ−ジ置換２−ヒドロキシエチルカルバメート及びＮ，Ｎ−ジ置換２−ヒドロキシ−１−メチルエチルカルバメート(２)」は、本願補正発明の「ｃ）ウレタン基含有アルコール（Ｃ）
　　【化１】
　
　
［式中、Ｒ３、Ｒ４は互いに独立して水素またはＣ１〜Ｃ１８−アルキ
ルで
Ｙは、Ｃ２〜Ｃ２０−アルキレンである］」で、Ｒ３、Ｒ４が水素またはアルキルであり、ＹがＣ２〜Ｃ３のアルキレンであるものに該当する。
（イ）刊行物１発明の「アクリル酸塩化物及びメタクリル酸塩化物(１)」と本願補正発明の「（メト）アクリル酸または（メト）アクリル酸と飽和アルコールとのエステル（Ｄ）」とは、（メト）アクリル酸化合物である点で共通する。
（ウ）刊行物１発明の「Ｎ，Ｎ−ジ置換カルバモイルオキシアルキルアクリル酸ステル及びＮ，Ｎ−ジ置換カルバモイルオキシメタクリル酸エステル(３ａ−ｉ)」の内、（３ａ）、（３ｂ）、（３ｆ）、（３ｇ）、及び（３ｉ）は、その化学構造（上記(1c)）から、本願補正発明の【化１】の「ウレタン基含有（メト）アクリル酸エステル（Ｆ）」に該当する。
（エ）刊行物１発明の「塩基存在下または窒素環流下で反応させ」ることと、本願補正発明の「反応ｃ）を酵素リパーゼ（Ｅ）の存在下で実施すること」とは、反応促進条件下で反応を実施する点で共通する。
　
　したがって、両者の間には、以下の一致点及び相違点がある。
（一致点）
　ｃ）ウレタン基含有アルコール（Ｃ）
　　【化１】
　
　
［式中、Ｒ３、Ｒ４は互いに独立して水素またはＣ１〜Ｃ１８−アルキルであり、
Ｙは、Ｃ２〜Ｃ２０−アルキレンである］
を（メト）アクリル酸化合物と反応させ、かつ、
ｄ）場合により、ｃ）からの反応混合物を後処理することによって、ウレタン基含有（メト）アクリル酸エステル（Ｆ）を製造する方法において、
反応ｃ）を反応促進条件下で実施する、ウレタン基含有（メト）アクリル酸エステル（Ｆ）を製造する方法である点。
　
（相違点１）
　（メト）アクリル酸化合物が、本願補正発明では、（メト）アクリル酸またはその飽和アルコールエステルであるのに対して、刊行物１発明では、アクリル酸またはメタクリル酸塩化物である点。
　
（相違点２）
　反応促進条件が、本願補正発明では、「酵素リパーゼ（Ｅ）の存在下」であるのに対して、刊行物１発明では「塩基存在下または窒素環流下」である点。
　
　そこで、上記相違点について検討するが、両相違点は相互に関連するのでまとめて検討する。また、以下、メタクリル酸およびアクリル酸をまとめて、本願明細書の表記に合わせて、「(メト）アクリル酸」という。
　刊行物２には、触媒として酵素Ｎｏｖｏｚｙｍ（Ｒ）４３５の存在下で、シロキサン誘導体と(メト)アクリル酸またはそのエステルと、エステル化またはエステル交換反応を行い、シロキサン誘導体の（メト）アクリル酸エステルを製造する方法が記載されている（上記(2a)(2h)）。そして、従来技術と発明の課題として、触媒としてチタン、ジルコン、鉄、亜鉛等が用いられたり、酸触媒が用いられており、高温で反応させるため、重合を抑えるためにラジカル捕捉剤による安定化が必要であったこと、反応後触媒を除去する必要があり、費用と時間がかかかること、また、高温の反応で製造されたものが着色される問題が有ることが記載され（上記(2c)）、酵素触媒を用いることで、これらの課題が解決することが記載されている。
　刊行物３には、リパーゼ（グリセロールエステルヒドラーゼ、Ｅ．Ｃ．３．１．１．３）の存在下に、各種ジオールとエチルアクリレートを反応させて、ヒドロキシアルキル（メタ）アクリル酸モノエステルを製造することが記載されている（上記(3c)〜(3f)）。そして、従来の化学的経路は、直接的な酸触媒エステル化反応またはエステル交換であって、ヒドロキシアルキル（メタ）アクリル酸エステルの合成は、未反応のアルコール、部分及び完全置換エステル生産物の複合混合物を生産するため効率的でないことが記載されている（上記(3a)）。
　刊行物４には、Candida antarctica由来のNovozym435の存在下に、（メト）アクリル酸エステルと各種アルコールを反応させて、（メト）アクリル酸エステルを製造する方法、及び硫酸を酸触媒として用いた化学的方法による（メト）アクリル酸エステルの製造方法が記載されている（上記(4a)）。そして、酵素触媒は、優位性があり、化学触媒反応の場合、重合が起こるために、収率が酵素触媒よりも劣ることが記載されている（上記(4b)）。
　上記刊行物２ないし４の記載事項から、（メト）アクリル酸またはそのエステルと各種化学構造のアルコール基含有化合物とのエステル化反応またはエステル交換反応を、化学的な触媒を用いて行った場合、高温の反応のため重合反応が起き、また、副生成物が生成され、製造したものが着色してしまうこと、費用や時間がかかること、収率が悪いこと等の問題点があることは、本願優先日前の周知の課題であり、これを解決するために、市販のNovozym435等のリパーゼを酵素触媒として用いることは、本願優先日前の周知技術であったといえる。
　そして、刊行物１（上記(1d)）には、塩基触媒を用いる方法Ａでは、重合防止剤を用いる必要があり、また、副産物として重合を妨げるメタクリル酸無水物のような二官能性の不純物もできることが記載され、この方法より好ましいとされる窒素環流を用いる方法Ｂでも、副生成物ができることが記載されており、(メト）アクリル酸の塩化物を用いた化学的なエステル化方法には、問題点があることが記載されているといえる。
　エステル化反応にアクリル酸の塩化物を用いることは、刊行物２ないし４には記載されていないが、一般にエステル化方法として、カルボン酸エステルとアルコールとのエステル交換反応、カルボン酸塩化物や無水カルボン酸とアルコールとの反応、または、カルボン酸とアルコールを酵素触媒を用いる方法等は、本願優先日前の周知技術であり（例えば、国際公開第０１／２８９６１号１頁下から１３〜９行の従来技術、及び化学的方法については、「化学大辞典１　縮刷版　1993年縮刷版第34刷発行　共立出版(株)p.873-875のエステル化の項目」参照。）、カルボン酸塩化物を用いる方法を酵素触媒を用いた方法とする場合、カルボン酸塩化物を、リパーゼ等の酵素による反応が可能な、カルボン酸やそのエステルとすることは、当業者が当然に行うことといえる。
　そうすると、重合防止剤が必要であったり、副生成物ができるという問題点がある刊行物１発明において、これらの問題を解決することが期待できる、刊行物２ないし４記載の上記周知技術である、エステル化またはエステル交換をNovozym435等のリパーゼを触媒として用いる方法を採用し、その際に（メト）アクリル酸の塩化物を（メト）アクリル酸またはそのエステルとすることは、当業者が容易になし得たことといえる。
　また、酵素反応には、基質特異性があることは技術常識であるが、上記のとおり、リパーゼNovozym435は、アルキレン側鎖の長さが種々のアルコールと（メト）アクリル酸またはそのエステルとのエステル化またはエステル交換反応を触媒することから、刊行物１発明の（２）のカルバメート基（ウレタン基）含有アルコールにも、この酵素を適用することを阻害するものではない。
　
（本願補正発明の効果について）
　本願明細書段落【００１３】等に記載された、高い変換率及び高い純度で、簡単かつ毒性がないとされる出発材料から、低い色数つまり着色が無く、粘度が低いつまり重合が起こってない、ウレタン基含有（メト）アクリル酸エステルを製造できるという効果は、刊行物１ないし４の記載事項から予測し得たものであり、格別顕著なものとはいえない。
　
　したがって、本願補正発明は、刊行物１ないし４に記載された発明及び周知技術に基づいて、当業者が容易に発明をすることができたものであるから、特許法第２９条第２項の規定により特許出願の際独立して特許を受けることができないものである。
　
６　むすび
　以上のとおり、本件補正は、平成１８年法律第５５号改正附則第３条第１項によりなお従前の例によるとされる同法による改正前の特許法第１７条の２第５項で準用する同法第１２６条第５項の規定に違反するものであり、特許法第１５９条第１項で読み替えて準用する特許法第５３条第１項の規定により却下されるべきものである。
　
第３　本願発明について
１　本願発明
　平成２２年４月２日付けの手続補正は上記のとおり却下されることとなったので、本願の請求項１に係る発明（以下、「本願発明」という。）は、平成２１年９月３０日付け手続補正書の特許請求の範囲の請求項１に記載された事項により特定される、以下のとおりのものと認められる。
「【請求項１】
　ｃ）ウレタン基含有アルコール（Ｃ）
　　【化１】
　
　
［式中、Ｒ３、Ｒ４は互いに独立して水素、Ｃ１〜Ｃ１８−アルキル、場合によっては１個または複数個の酸素原子および／または硫黄原子および／または１個または複数個置換されたかまたは非置換のイミノ基によって中断されたＣ２〜Ｃ１８−アルキル、Ｃ２〜Ｃ１８−アルケニル、Ｃ６〜Ｃ１２−アリール、Ｃ５〜Ｃ１２−シクロアルキルまたは５〜６員の酸素原子、窒素原子および／または硫黄原子を有するヘテロ環基、その際、前記の基は、それぞれアリール、アルキル、アリールオキシ、アルキルオキシ、ヘテロ原子および／またはヘテロ環基によって置換されていてもよいか、あるいは式−［Ｘｉ］ｋ−Ｈの基であり、
Ｙは、Ｃ２〜Ｃ２０−アルキレン、Ｃ５〜Ｃ１２−シクロアルキレンまたは１個または複数個の酸素原子および／または硫黄原子および／または１個または複数個置換されたかまたは非置換のイミノ基によってか、および／または１個または複数個のシクロアルキル、−（ＣＯ）−、−Ｏ（ＣＯ）Ｏ−、−（ＮＨ）（ＣＯ）Ｏ−、−Ｏ（ＣＯ）（ＮＨ）−、−Ｏ（ＣＯ）−または−（ＣＯ）Ｏ−基によって中断されたＣ２〜Ｃ２０−アルキレン、その際、前記の基はそれぞれアリール、アルキル、アリールオキシ、アルキルオキシ、ヘテロ原子および／またはヘテロ環基によって置換されていてもよく、
ｋは、１〜５０の数を示し、かつ、
Ｘｉは、ｉ＝１〜ｋであり、それぞれ、基−ＣＨ２−ＣＨ２−Ｏ−、−ＣＨ２−ＣＨ２−Ｎ（Ｈ）−、−ＣＨ２−ＣＨ２−ＣＨ２−Ｎ（Ｈ）−、−ＣＨ２−ＣＨ（ＮＨ２）−、−ＣＨ２−ＣＨ（ＮＨＣＨＯ）−、−ＣＨ２−ＣＨ（ＣＨ３）−Ｏ−、−ＣＨ（ＣＨ３）−ＣＨ２−Ｏ−、−ＣＨ２−Ｃ（ＣＨ３）２−Ｏ−、−Ｃ（ＣＨ３）２−ＣＨ２−Ｏ−、−ＣＨ２−ＣＨ２−ＣＨ２−Ｏ−、−ＣＨ２−ＣＨ２−ＣＨ２−ＣＨ２−Ｏ−、−ＣＨ２−ＣＨＶｉｎ−Ｏ−、−ＣＨＶｉｎ−ＣＨ２−Ｏ−、−ＣＨ２−ＣＨＰｈ−Ｏ−および−ＣＨＰｈ−ＣＨ２−Ｏ−から成る群から選択されてもよく、その際、Ｐｈはフェニルであり、かつＶｉｎはビニルを示す］
を（メト）アクリル酸または（メト）アクリル酸と飽和アルコールとのエステル（Ｄ）と反応させ、かつ、
ｄ）場合により、ｃ）からの反応混合物を後処理することによって、ウレタン基含有（メト）アクリル酸エステル（Ｆ）を製造する方法において、
反応ｃ）を酵素リパーゼ（Ｅ）の存在下で実施することを特徴とする、ウレタン基含有（メト）アクリル酸エステル（Ｆ）を製造する方法。」
　
２　引用刊行物の記載事項
　原査定の拒絶の理由に引用された刊行物、および、その記載事項は、前記「第２　４」に記載したとおりである。
　
３　対比・判断
　本願発明は、前記「第２」で検討した本願補正発明の、Ｒ３、Ｒ４及びＹについての選択肢に、さらに選択肢を付加するをものである。
　そうすると、本願発明の構成要件を全て含み、さらに他の構成要件を付加したものに相当する本願補正発明が、前記「第２　５」に記載したとおり、刊行物１ないし４に記載された発明及び周知技術に基づいて、当業者が容易に発明をすることができたものであるから、本願発明も、同様の理由により、刊行物１ないし４に記載された発明及び周知技術に基づいて、当業者が容易に発明をすることができたものである。
　
４　むすび
　以上のとおり、本願発明は、刊行物１ないし４に記載された発明及び周知技術に基づいて、当業者が容易に発明をすることができたものであるから、特許法第２９条第２項の規定により特許を受けることができない。
　したがって、その他の請求項に係る発明についての判断を示すまでもなく本願は拒絶すべきものである。
　よって、結論のとおり審決する。